(57)【要約】  メモリ性液晶を用いたパネルを駆動するドライバへ入力する制御信号に基づいて、高電力が必要な期間と低電力となる期間で、高電力と低電力の２つの昇圧回路を切り替える制御を行い、高電力を必要とする期間は高出力の昇圧回路を用い、それ以外の期間では低消費電力の低電力の昇圧回路を用いて電圧の保持をするようにし、表示装置の消費電力を低減する表示装置と表示装置の制御方法を提供する。
2012001785.tif 000002
【特許請求の範囲】
【請求項１】
メモリ性液晶を用いた表示部と、前記表示部の走査ラインを駆動するロウドライバと、前記表示部のデータラインを駆動するカラムドライバとを備える表示装置であって、
前記表示部と、前記ロウドライバと、前記カラムドライバを駆動する電流を出力する第１の昇圧回路と、
前記表示部の表示を保持する電圧を出力する第２の昇圧回路と、
前記ロウドライバと前記カラムドライバを制御する、表示データを確定する表示データラッチ信号と液晶の劣化を防止するためのパルス極性制御信号のそれぞれが変化するタイミングを参照し、表示データラッチ信号とパルス極性制御信号が変化するタイミングより前の予め設定したタイミングで前記第１の昇圧回路に切り替え、予め設定した期間経過したのち前記第２の昇圧回路に切り替える制御をする制御部と、
を備えることを特徴とする表示装置。
【請求項２】
前記制御部は、前記表示部をパネルリセットする期間内と描画する期間内に、前記第１の昇圧回路と前記第２の昇圧回路を切り替えることを特徴とする請求項１に記載の表示装置。
【請求項３】
前記制御部は、前記第１の昇圧回路又は前記第２の昇圧回路のいずれか一方のみを選択して切り替える制御を行うことを特徴とする請求項１または２に記載の表示装置。
【請求項４】
メモリ性液晶を用いた表示部と、前記表示部の走査ラインを駆動するロウドライバと、前記表示部のデータラインを駆動するカラムドライバとを備える表示装置の制御方法であって、
コンピュータが、
記録部に記録されている、前記ロウドライバと前記カラムドライバを制御する、表示データを確定する表示データラッチ信号と液晶の劣化を防止するためのパルス極性制御信号のそれぞれが変化するタイミングを参照し、
前記表示データラッチ信号と前記パルス極性制御信号が変化するタイミングより前の予め設定したタイミングで、前記表示部と、前記ロウドライバと、前記カラムドライバを駆動する電流を出力する第１の昇圧回路に切り替え、
予め設定した期間経過したのち、前記表示部の表示を保持する電圧を出力する第２の昇圧回路に切り替える、
ことを実行する表示装置の制御方法。
【請求項５】
コンピュータが
前記表示部をパネルリセットする期間内と描画する期間内に、前記第１の昇圧回路と前記第２の昇圧回路を切り替えることを実行する請求項４に記載の表示装置の制御方法。
【請求項６】
コンピュータが、
前記第１の昇圧回路又は前記第２の昇圧回路のいずれか一方のみを選択して切り替えることを実行する請求項４または５に記載の表示装置の制御方法。
【発明の詳細な説明】
【技術分野】
【０００１】
本発明は、メモリ性液晶を用いる表示装置と表示装置の制御方法に関する。
【背景技術】
【０００２】
近年、電子書籍、端末機器の表示部など、各分野で多様な形態でメモリ性液晶を用いたパネルが利用されている。メモリ性液晶のパネルには、例えば、コレステリック液晶などを用いたパネルがある。コレステリック液晶とは、半永久的な表示保持、鮮やかなカラー表示、高コントラスト、および高解像度であるという特徴を有している。また、メモリ性液晶を用いたパネルは、電力を供給しなくても描画されている内容を維持することができ、パネルのリセットをするパネルリセット期間とパネルに描画をする描画期間を除いて、電力の供給をしなくてよい。そのため、表示中に常に電力を必要とする液晶に比べて、メモリ性液晶を用いたパネルを利用した表示装置は、消費電力を低く抑えられる。なお、パネルリセット期間は、表示部の書き換えの対象となる領域をリセットする期間である。描画期間は、表示装置の運用中に以前に描画した内容を消去し、新しい内容を描画する期間である。【０００３】
しかしながら、メモリ性液晶を用いたパネルを駆動するには、パネルリセット期間と描画期間にパネルを駆動するドライバに、高電力の昇圧回路を用いて連続して高電圧を印加しなくてはならない。また、メモリ性液晶を用いたパネルを駆動するには、パネルリセット期間と描画期間において、パネルを駆動するドライバはパネルが要求する最大の電流量を確保しなければならない。そのため、従来の昇圧回路では、パネルリセット期間と描画期間において、常に高電力でパネルが要求する最大の電流量をドライバに供給しなければならない。【０００４】
なお、表示装置の技術として、昇圧用のコンデンサを充電する前に、電池電圧を所定レベルまで予め充電しておくことにより、昇圧時間を短時間とするという技術が知られている。また、メモリ性液晶を用いた表示装置の表示状態に応じて、昇圧動作を可変することにより必要十分な電力を発生して、表示装置の消費電力を軽減する技術が知られている。
【先行技術文献】
【特許文献】
【０００５】
【特許文献１】特開２００７−２６７５３９号公報
【発明の概要】
【発明が解決しようとする課題】
【０００６】
本発明は上記のような実情に鑑みてなされたものであり、メモリ性液晶を駆動する電力を抑える表示装置と表示装置の制御方法を提供することを目的とする。
【課題を解決するための手段】
【０００７】
本発明の態様のひとつであるメモリ性液晶を用いた表示部と、上記表示部の走査ラインを駆動するロウドライバと、上記表示部のデータラインを駆動するカラムドライバとを備える表示装置は、第１の昇圧回路と第２の昇圧回路と制御部を備える。【０００８】
第１の昇圧回路は、上記表示部と、上記ロウドライバと、上記カラムドライバを駆動する電流を出力する高電力の昇圧回路である。
第２の昇圧回路は、上記表示部の表示を保持する電圧を出力する低消費電力の昇圧回路である。【０００９】
制御部は、上記ロウドライバと上記カラムドライバを制御する、表示データを確定する表示データラッチ信号と液晶の劣化を防止するためのパルス極性制御信号のそれぞれが変化するタイミングを参照する。そして、表示データラッチ信号とパルス極性制御信号が変化するタイミングより前の予め設定したタイミングで上記第１の昇圧回路に切り替え、予め設定した期間経過したのち上記第２の昇圧回路に切り替える制御をする。
【発明の効果】
【００１０】
実施の態様によれば、表示装置の消費電力を抑えることができるという効果を奏する。
【図面の簡単な説明】
【００１１】
【図１】実施形態の表示装置の一実施例を示すブロック図である。
【図２】実施形態の昇圧回路を切り替える動作の一実施例を示すブロック図である。
【図３】実施形態の表示装置の描画時の一実施例を示すタイムチャートである。
【発明を実施するための形態】
【００１２】
本実施形態は、メモリ性液晶を用いたパネルを駆動するドライバへ入力する制御信号に基づいて、高電力が必要な期間と低電力となる期間で、高電力と低電力の２つの昇圧回路を切り替えて、表示装置の消費電力を低減する。すなわち、高電力を必要とする期間は高出力の昇圧回路を起動し、それ以外の期間では低消費電力の低電力の昇圧回路で電圧の保持をするように、２つの昇圧回路の切替えを制御する。
【００１３】
以下図面に基づいて、実施形態について詳細に説明する。
図１は、表示装置の一実施例を示すブロック図である。
表示装置１は、充電制御部２、バッテリ３、電源部４、周辺回路５、制御部６、記録部７、ドライバ制御部８、表示部９、ロウドライバ１０、カラムドライバ１１、多電圧生成部１２、コンデンサ１３などを備えている。また、表示装置１は第１の昇圧回路１４、第２の昇圧回路１５、整流素子１６、１７、反転素子２０を備えている。
【００１４】
充電制御部２は、交流電流源など外部電源から供給される電力をバッテリ３へ供給する。また、充電制御部２は、電源部４、第１の昇圧回路１４、第２の昇圧回路１５へ電力を供給する。外部電源から電力が供給されない場合、充電制御部２は外部電源からバッテリ３へ電力を切り替えるため、電力供給経路を切り替える制御を行う。なお、充電制御部２は外部電源から供給される電力が交流であれば直流に変換してもよい。
【００１５】
バッテリ３は、外部電源から電力が供給されない場合に、充電した電力を充電制御部２を介して電源部４、第１の昇圧回路１４、第２の昇圧回路１５へ供給する。
電源部４は、充電制御部２を介して供給された電力を周辺回路５で用いる電圧に変換して供給する。電源部４は、例えば、三端子レギュータ、交流−直流変換器（ＡＣ−ＤＣコンバータ）、直流−直流変換器（ＤＣ−ＤＣコンバータ）などである。
【００１６】
周辺回路５は、表示装置１が備える各部にクロック信号を供給するクロック源、制御部６、記録部７などを備えている。また、表示装置１に接続されているキーボードあるいはタッチパネルなどの入力装置、カメラ、スキャナなどの画像入力装置とネットワークなどから、周辺回路５はデータを取得する。また、周辺回路５は制御部６を介して取得したデータを記録部７に記録する。
【００１７】
制御部６は、表示装置１の各部を制御する。制御部６は、周辺回路５で取得した表示データをドライバ制御部８に出力する。本例において、ドライバ制御部８は制御部６と分けているが、制御部６にドライバ制御部８の機能を備えてもよい。また、制御部６は、Central Processing Unit（ＣＰＵ）やプログラマブルなデバイス（Field Programmable Gate
Array（ＦＰＧＡ）、Programmable Logic Device（ＰＬＤ）など）を用いて実現してもよい。
【００１８】
記録部７には、ドライバ制御部８、多電圧生成部１２、第１の昇圧回路１４と第２の昇圧回路１５を制御するプログラム、データが記録されている。また、記録部７は、表示装置１の各部を制御するためのプログラム、データなどが記録されている。なお、記録部７には、例えばRead Only Memory（ＲＯＭ）、Random Access Memory（ＲＡＭ）などのメモリである。また、記録部７は、パラメータ値、変数値などのデータを記録してもよいし、ワークエリアとして用いてもよい。
【００１９】
ドライバ制御部８は、制御部６の指示に従い複数種類の制御信号をロウドライバ１０およびカラムドライバ１１にバスを介して出力する。複数の制御信号には、例えば、表示データラッチ信号ＬＰ、パルス極性制御信号ＦＲ、表示データＤＡＴＡ、表示データ取り込みクロック信号ＣＬＫなどがある。表示データラッチ信号ＬＰは、ロウドライバ１０とカラムドライバ１１に入力される。カラムドライバ１１の場合には表示データをラッチするパルスである。なお、ロウドライバ１０の場合には走査データをラッチするパルスである。パルス極性制御信号ＦＲは、第１の昇圧回路１４と第２の昇圧回路１５からロウドライバ１０およびカラムドライバ１１へ印加する電圧の極性を反転させて、液晶に特有の経時劣化を回復させる電圧の極性反転制御信号である。表示データＤＡＴＡは、ドライバ制御部８からカラムドライバ１１へ出力されるデータである。また、カラムドライバ１１と表示部９を接続するデータラインを駆動する１ライン分のデータである。データ取り込みクロックＣＬＫは、ドライバ制御部８からカラムドライバ１１に出力された表示データを取り込むときに用いるクロックである。なお、本例では便宜上６つの制御信号について説明したが、実際には６つの制御信号以外にも制御信号は存在する。なお、表示装置１で用いる表示部９、ロウドライバ１０およびカラムドライバ１１の種類や表示部９とロウドライバ１０およびカラムドライバ１１間の接続の仕方によって制御信号の数は異なる。
【００２０】
また、ドライバ制御部８は、第１の昇圧回路１４と第２の昇圧回路１５を切り替える昇圧切替制御信号１８を、第１の昇圧回路１４と第２の昇圧回路１５に出力する。昇圧切替制御信号１８を出力するタイミングは、記録部７に記録されている表示データラッチ信号ＬＰとパルス極性制御信号ＦＲの変化のタイミングに基づいて予め求められている。
【００２１】
表示部９は、コレステリック液晶などのメモリ性の表示材料を用いた液晶パネルである。例えば、Ａ４判ＸＧＡ仕様であれば１０２４×７６８画素を有するものである。ただし、液晶パネルの画素数は上記画素数に限定されるものではない。
【００２２】
ロウドライバ１０は、表示部９に接続されている走査ラインを駆動する。例えば、ロウドライバ１０は、Ａ４判ＸＧＡ仕様であれば７６８本の走査ラインを駆動する。ただし、液晶パネルの画素数は限定されるものではない。
【００２３】
カラムドライバ１１は、表示部９に接続されているデータラインを駆動する。例えば、カラムドライバ１１は、Ａ４判ＸＧＡ仕様であれば１０２４本分のデータラインを駆動する。ただし、液晶パネルの画素数は限定されるものではない。
【００２４】
多電圧生成部１２は、電圧制御信号１９をドライバ制御部８から受信し、電圧制御信号１９の指示に従い、第１の昇圧回路１４、第２の昇圧回路１５から出力される電圧ＶＤＤＨを用いて、カラムドライバ１１とロウドライバ１０各々に供給する各種電圧を生成する。電圧制御信号１９は、ドライバ制御部８から出力される信号であり、カラムドライバ１１とロウドライバ１０の駆動の仕方により決められる電圧値を多電圧生成部１２に通知する信号である。
【００２５】
コンデンサ１３は、第１の昇圧回路１４、第２の昇圧回路１５と多電圧生成部１２とを接続するラインとグランドの間に設けられ、電圧ＶＤＤＨを平滑して安定させる。
第１の昇圧回路１４は、直流−直流変換器（ＤＣ−ＤＣコンバータ）などにより、充電制御部２からの入力電圧を昇圧する回路である。第１の昇圧回路１４は、高出力タイプの昇圧回路で、カラムドライバ１１とロウドライバ１０が高電力を必要とする期間に用いられ、それ以外の期間はシャットダウンされる。例えば、第１の昇圧回路１４をシャットダウンさせるための昇圧制御端子を備えるデバイスを用いることが望ましい。つまり、昇圧制御端子に昇圧切替制御信号１８により、第１の昇圧回路１４を容易にシャットダウンさせられる。なお、第１の昇圧回路１４の昇圧は、パネルリセット、描画時に必要な最大の電圧まで昇圧するものである。例えば、入力電圧４．２Ｖをパネルリセットに必要な電圧３８Ｖまで昇圧し、描画時は入力電圧４．２Ｖを描画に必要な電圧２４Ｖまで昇圧する。ただし、昇圧は上記に限定されるものではない。
【００２６】
第２の昇圧回路１５は、直流−直流変換器（ＤＣ−ＤＣコンバータ）などにより、充電制御部２からの入力電圧を昇圧する回路である。第２の昇圧回路１５は、低電力タイプの昇圧回路で、カラムドライバ１１とロウドライバ１０を低消費電力で駆動する期間に用いられ、それ以外の期間はシャットダウンされる。例えば、第２の昇圧回路１５をシャットダウンさせるための昇圧制御端子を備えるデバイスを用いることが望ましい。つまり、昇圧制御端子に昇圧切替制御信号１８の反転信号を入力することにより、第２の昇圧回路１５を容易にシャットダウンさせられる。反転信号は、例えば、反転素子２０を用いて生成される。なお、第２の昇圧回路１５の昇圧動作は、パネルリセット、描画時に必要な最大の電圧まで昇圧するものである。例えば、入力電圧４．２Ｖをパネルリセットに必要な電圧３８Ｖまで昇圧し、描画時は入力電圧４．２Ｖを描画に必要な電圧２４Ｖまで昇圧する。ただし、昇圧は上記に限定されるものではない。
【００２７】
整流素子１６は、第１の昇圧回路１４の出力端子と、多電圧生成部１２の入力端子とコンデンサ１３の電圧ＶＤＤＨ側の端子が接続される接続点との間に配置されている。そして、整流素子１６のアノード端子は第１の昇圧回路１４の出力端子と接続され、カソード端子は上記接続点と接続されている。整流素子１７は、第２の昇圧回路１５の出力端子と上記接続点との間に配置されている。そして、整流素子１７のアノード端子は第２の昇圧回路１５の出力端子と接続され、カソード端子は上記接続点と接続されている。つまり、整流素子１６と整流素子１７の接続はダイオードＯＲであり、電流の逆流も防止している。
【００２８】
表示装置１における電力切り替え動作について説明する。
図２は、高電力の昇圧回路と低電力の昇圧回路の切り替え処理の一実施例を示すフロー図である。本実施形態の表示装置１では、表示部９の書き換えの対象となる領域をリセットするパネルリセット期間と描画を実行する描画期間内において、高電力の第１の昇圧回路１４と低電力の第２の昇圧回路１５の切り替えを行う。
【００２９】
ステップＳ１で制御部６は、入力装置などから表示部９の表示画像を書き換える要求通知を受信して、表示部９と表示部９を駆動する各部に電力を供給する電源に、電力の供給を指示する。なお、充電制御部２が電力を供給するとき、表示装置１の各パスコンやコンデンサ１３などに流れ込む突入電流が発生する。
【００３０】
ステップＳ２では、第１の昇圧回路１４を選択する。
ドライバ制御部８が制御部６から昇圧切替制御信号１８と電圧制御信号１９を出力すべきことを示す通知を受信したのち、ドライバ制御部８は昇圧切替制御信号１８と電圧制御信号１９を出力する。昇圧切替制御信号１８は、第１の昇圧回路１４を選択する情報を有している。電圧制御信号１９は、パネルリセット時に多電圧生成部１２が出力すべき電圧値の設定情報を有する。昇圧切替制御信号１８を出力するタイミングは、表示データラッチ信号ＬＰのデータラッチのタイミングまたはそのラッチに係るパルス極性制御信号ＦＲの反転タイミングより前である。また、第１の昇圧回路１４が安定して動作可能な状態になるまでに必要な時間を考慮して、昇圧切替制御信号１８を出力する。パルス極性制御信号ＦＲの反転タイミング、表示データラッチ信号ＬＰのデータラッチのタイミングおよび昇圧切替制御信号１８を出力するタイミングは、予め記録部７にタイミング情報として記録されている。このタイミング情報に含まれるタイミングは、例えば、カウンタまたは時計機能を備えるデバイスなどを用いて計測する。
【００３１】
また、昇圧切替制御信号１８を受信した第１の昇圧回路１４はシャットダウンを解除して起動し、昇圧切替制御信号１８の反転信号を受信した第２の昇圧回路１５はシャットダウンする。すなわち、第１の昇圧回路１４が選択される。多電圧生成部１２は、第１の昇圧回路１４から出力される電圧を用いてパネルリセット時に必要な電圧を出力する。
【００３２】
なお、本例では制御部６がドライバ制御部８に指示をしているが、制御部６がドライバ制御部８の機能を備えている場合は、制御部６が第１の昇圧回路１４、第２の昇圧回路１５、多電圧生成部１２に指示をしてもよい。
【００３３】
ステップＳ３では、制御部６がドライバ制御部８にパネルリセット電圧を印加する指示をする。制御部６からの指示を受信したドライバ制御部８は、表示画像の書き換え対象となっている領域をリセットするため、該領域に対応するカラムドライバ１１とロウドライバ１０に電圧を印加する指示を出力する。そして、カラムドライバ１１とロウドライバ１０は表示画像の書き換え対象をリセットする。
【００３４】
ステップＳ４では、第２の昇圧回路１５を選択する。
制御部６が第１の昇圧回路１４から第２の昇圧回路１５に切り替える指示をドライバ制御部８に出力する。ドライバ制御部８は指示を受信して、昇圧切替制御信号１８を出力する。昇圧切替制御信号１８は、第２の昇圧回路１５を選択する情報を有している。ドライバ制御部８が該昇圧切替制御信号１８を出力するタイミングは、少なくとも表示画像の書き換え対象のリセットを完了した後である。第１の昇圧回路１４から第２の昇圧回路１５に切り替えるタイミングは、予め記録部７にタイミング情報として記録されている。また、昇圧切替制御信号１８の反転信号を受信した第２の昇圧回路１５はシャットダウンを解除して起動し、昇圧切替制御信号１８を受信した第１の昇圧回路１４はシャットダウンする。すなわち、第２の昇圧回路１５が選択される。
【００３５】
ステップＳ５では、第１の昇圧回路１４を選択する。
ドライバ制御部８が制御部６から昇圧切替制御信号１８を出力すべきことを示す通知を受信したのち、ドライバ制御部８が昇圧切替制御信号１８を出力する。昇圧切替制御信号１８は、第１の昇圧回路１４を選択する情報を有している。ドライバ制御部８が昇圧切替制御信号１８を出力するタイミングは、パルス極性制御信号ＦＲを反転するタイミングより前であり、少なくとも第１の昇圧回路１４が安定して動作可能な状態になるまでに必要な時間を考慮して、昇圧切替制御信号１８を出力する。パルス極性制御信号ＦＲの反転タイミングおよび昇圧切替制御信号１８を出力するタイミングは、予め記録部７にタイミング情報として記録されている。タイミング情報に含まれるタイミングは、カウンタまたは時計機能を備えるデバイスなどを用いて計測する。
【００３６】
また、昇圧切替制御信号１８を受信した第１の昇圧回路１４はシャットダウンを解除して起動し、昇圧切替制御信号１８の反転信号を受信した第２の昇圧回路１５はシャットダウンする。すなわち、第１の昇圧回路１４が選択される。
【００３７】
本例では、制御部６がドライバ制御部８に指示をしているが、制御部６がドライバ制御部８の機能を備えている場合は、制御部６が第１の昇圧回路１４、第２の昇圧回路１５、多電圧生成部１２に指示をしてもよい。
【００３８】
ステップＳ６では、ドライバ制御部８が制御部６から出力される印加電圧の極性を反転させてメモリ性液晶に特有の経時劣化を回復させる指示を受信し、印加電圧の極性を反転させて液晶に特有の経時劣化を回復させる。
【００３９】
ステップＳ７では、第２の昇圧回路１５を選択する。
制御部６が第１の昇圧回路１４から第２の昇圧回路１５に切り替える指示をドライバ制御部８に出力する。ドライバ制御部８は切り替える指示を受信して、昇圧切替制御信号１８を出力する。昇圧切替制御信号１８は、第２の昇圧回路１５を選択する情報を有している。ドライバ制御部８が該昇圧切替制御信号１８を出力するタイミングは、少なくともパルス極性制御信号ＦＲの反転が完了した後のタイミングである。なお、第１の昇圧回路１４から第２の昇圧回路１５に切り替える出力タイミングは、予め記録部７にタイミング情報として記録されている。また、昇圧切替制御信号１８の反転信号を受信した第２の昇圧回路１５はシャットダウンを解除して起動し、昇圧切替制御信号１８を受信した第１の昇圧回路１４はシャットダウンする。すなわち、第２の昇圧回路１５が選択される。
【００４０】
ステップＳ８では、パネルリセットを終了する。
ステップＳ９では描画処理を開始する。
図３を用いて、描画処理の一実施例について説明をする。図３は、縦軸に各種信号の波形を示し、横軸に時間軸を示している。縦軸の信号波形は、表示データラッチ信号ＬＰ、パルス極性制御信号ＦＲ、表示データＤＡＴＡ、表示データ取り込みクロック信号ＣＬＫ、出力電圧ＯＵＴ、第１の昇圧回路１４への入力電流、昇圧切替制御信号１８、昇圧切替制御信号１８の反転信号を示している。
【００４１】
ステップ９で制御部６からの指示に従いドライバ制御部８は、表示データ取り込みクロック信号ＣＬＫを用いてカラムドライバ１１に１ライン分の表示データを転送する。図３の例では、ｔ４−ｔ５、ｔ１２−ｔ１３、ｔ２０−ｔ２１に示されている期間である。
【００４２】
ステップＳ１０では、第１の昇圧回路１４を選択する。
ドライバ制御部８が制御部６から昇圧切替制御信号１８と電圧制御信号１９を出力すべきことを示す通知を受信したのち、ドライバ制御部８は昇圧切替制御信号１８と電圧制御信号１９を出力する。図３の例ではｔ５、ｔ１３、ｔ２１のタイミングである。
【００４３】
昇圧切替制御信号１８は、第１の昇圧回路１４を選択する情報を有している。電圧制御信号１９は、描画時に多電圧生成部１２が出力する電圧値の設定情報を有する。昇圧切替制御信号１８を出力するタイミングは、表示データラッチ信号ＬＰのデータラッチのタイミングとそのラッチに係るパルス極性制御信号ＦＲの反転タイミングより前である。また、第１の昇圧回路１４が安定して動作可能な状態になるまでに必要な時間を考慮して、昇圧切替制御信号１８を出力する。描画時における、パルス極性制御信号ＦＲの反転タイミング、表示データラッチ信号ＬＰのデータラッチのタイミングおよび該昇圧切替制御信号１８を出力すべきタイミングは、予め記録部７にタイミング情報として記録されている。このタイミング情報に含まれるタイミングは、例えば、カウンタまたは時計機能を備えるデバイスなどを用いて計測する。
【００４４】
また、昇圧切替制御信号１８を受信した第１の昇圧回路１４はシャットダウンを解除して起動し、昇圧切替制御信号１８の反転信号を受信した第２の昇圧回路１５はシャットダウンする。すなわち、第１の昇圧回路１４が選択される。多電圧生成部１２は、第１の昇圧回路１４から出力される電圧を用いて描画時に必要な電圧を出力する。
【００４５】
なお、本例では制御部６がドライバ制御部８に指示をしているが、制御部６がドライバ制御部８の機能を備えている場合は、制御部６が第１の昇圧回路１４、第２の昇圧回路１５、多電圧生成部１２に指示をしてもよい。
【００４６】
ステップＳ１１では、制御部６がドライバ制御部８に描画電圧を印加する指示をする。制御部６からの指示を受信したドライバ制御部８は、表示部９に描画するためカラムドライバ１１とロウドライバ１０に電圧を印加する。図３の例では、ｔ６−ｔ７、ｔ１４−ｔ１５、ｔ２２−ｔ２３のタイミングである。
【００４７】
ステップＳ１２では、第２の昇圧回路１５を選択する。
制御部６が第１の昇圧回路１４から第２の昇圧回路１５に切り替える指示をドライバ制御部８に出力する。ドライバ制御部８は指示を受信して、昇圧切替制御信号１８を出力する。図３の例では、ｔ８、ｔ１６、ｔ２４のタイミングである。
【００４８】
昇圧切替制御信号１８は、第２の昇圧回路１５を選択する情報を有している。ドライバ制御部８が該昇圧切替制御信号１８を出力するタイミングは、少なくとも表示画像の書き換え対象のリセットの完了後である。第１の昇圧回路１４から第２の昇圧回路１５に切り替えるタイミングは、予め記録部７にタイミング情報として記録されている。また、昇圧切替制御信号１８の反転信号を受信した第２の昇圧回路１５はシャットダウンを解除して起動し、昇圧切替制御信号１８を受信した第１の昇圧回路１４はシャットダウンする。すなわち、第２の昇圧回路１５が選択される。
【００４９】
ステップＳ１３では、第１の昇圧回路１４を選択する。
ドライバ制御部８が制御部６から昇圧切替制御信号１８を出力することを示す通知を受信したのち、ドライバ制御部８が昇圧切替制御信号１８を出力する。図３の例では、ｔ１、ｔ９、ｔ１７のタイミングである。
【００５０】
昇圧切替制御信号１８は、第１の昇圧回路１４を選択する情報を有している。ドライバ制御部８が昇圧切替制御信号１８を出力するタイミングは、パルス極性制御信号ＦＲを反転するタイミングより前であり、少なくとも第１の昇圧回路１４が安定して動作可能な状態になるまでに必要な時間を考慮して、昇圧切替制御信号１８を出力する。パルス極性制御信号ＦＲの反転タイミングおよび昇圧切替制御信号１８を出力すべきタイミングは、予め記録部７にタイミング情報として記録されている。タイミング情報に含まれるタイミングは、カウンタまたは時計機能を備えるデバイスなどを用いて計測する。
【００５１】
また、昇圧切替制御信号１８を受信した第１の昇圧回路１４はシャットダウンを解除して起動し、昇圧切替制御信号１８の反転信号を受信した第２の昇圧回路１５はシャットダウンする。すなわち、第１の昇圧回路１４が選択される。
【００５２】
本例では、制御部６がドライバ制御部８に指示をしているが、制御部６がドライバ制御部８の機能を備えている場合は、制御部６が第１の昇圧回路１４、第２の昇圧回路１５、多電圧生成部１２に指示をしてもよい。
【００５３】
ステップＳ１４では、ドライバ制御部８が制御部６からメモリ性液晶に特有の経時劣化を回復させる指示を受信し、印加電圧の極性を反転させて液晶に特有の経時劣化を回復させる。図３の例では、ｔ２−ｔ３、ｔ１０−ｔ１１、ｔ１８−ｔ１９のタイミングである。
【００５４】
ステップＳ１５では、第２の昇圧回路１５を選択する。
制御部６が、第１の昇圧回路１４から第２の昇圧回路１５に切り替える指示をドライバ制御部８に出力する。ドライバ制御部８は指示を受信して、昇圧切替制御信号１８を出力する。図３の例では、ｔ４、ｔ１２、ｔ２０のタイミングである。
【００５５】
昇圧切替制御信号１８は、第２の昇圧回路１５を選択する情報を有している。ドライバ制御部８が該昇圧切替制御信号１８を出力するタイミングは、少なくともパルス極性制御信号ＦＲの反転が完了した後のタイミングである。なお、第１の昇圧回路１４から第２の昇圧回路１５に切り替える出力タイミングは、予め記録部７にタイミング情報として記録されている。また、昇圧切替制御信号１８の反転信号を受信した第２の昇圧回路１５はシャットダウンを解除して起動し、昇圧切替制御信号１８を受信した第１の昇圧回路１４はシャットダウンする。すなわち、第２の昇圧回路１５が選択される。
【００５６】
ステップＳ１６では、制御部６あるいはドライバ制御部８が最終のラインであるか否かを判定して、最終のラインである場合にはステップＳ１７に移行し、最終のラインでない場合にはステップＳ９に移行する。例えば、Ａ４判ＸＧＡ仕様であれば７６８ラインであるか否かを判定する。
【００５７】
ステップＳ１７で制御部６は、表示部９の表示画像の書き換えが完了したことを検出して、表示部９と表示部９を駆動する各部へ電力を供給する電源に、停止すべき指示を出力する。
【００５８】
本実施形態によれば、表示部９の負荷および表示させるコンテンツにより供給電流は変動するが、パネルリセット期間と描画期間の各々において高電力を必要とする期間は、高電力を出力可能な昇圧回路を用いて、それ以外の期間では低消費電力の昇圧回路を用いる。その結果、パネルリセット期間と描画期間の消費電力を低減することができる。
【００５９】
また、描画期間に必要な電力のかなりの部分をカットすることができるので、バッテリ駆動など限られた電力を有効に使用することができる。
なお、本発明は、上記実施の形態に限定されるものでなく、本発明の要旨を逸脱しない範囲内で種々の改良、変更が可能である。
【符号の説明】
【００６０】
１  表示装置
２  充電制御部
３  バッテリ
４  電源部
５  周辺回路
６  制御部
７  記録部
８  ドライバ制御部
９  表示部
１０  ロウドライバ
１１  カラムドライバ
１２  多電圧生成部
１３  コンデンサ
１４  第１の昇圧回路
１５  第２の昇圧回路
１６、１７  整流素子
１８  昇圧切替制御信号
１９  電圧制御信号
２０  反転素子
【図１】
2012001785.tif 000003
【図２】
2012001785.tif 000004
【図３】
2012001785.tif 000005
【国際調査報告】
2012001785.tif 000006
2012001785.tif 000007
2012001785.tif 000008